(57)【特許請求の範囲】
【請求項１】
ドアの開閉状態を示すドア開閉状態信号を入力し、上記ドア開閉状態信号が示すドアの開閉状態に対応する発光パターンを出力する発光パターン出力手段と、上記発光パターン出力手段から出力された発光パターンにしたがって点灯状態が変化する発光サインを生成する発光サイン生成手段と、上記発光サイン生成手段により生成された発光サインをドアの戸締り方向とドアの内側方向に導光して、上記発光サインをドアの戸締り方向とドアの内側方向に向けて表示する発光サイン表示手段とを備え、
上記発光サイン生成手段及び上記発光サイン表示手段は、エレベータのかご側のドアに内蔵されており、上記発光サイン表示手段は、上記エレベータのドアが戸締り時に、上記ドアが当接する方向の面に向けて上記発光サインを導光するとともに、上記エレベータのドアの内側方向であるかご室方向に向けて上記発光サインを導光し、上記発光サインを上記ドアの戸締り方向と上記かご室方向に向けて表示することを特徴とするドア開閉確認装置。
【請求項２】
ドアの開閉状態を示すドア開閉状態信号を入力し、上記ドア開閉状態信号が示すドアの開閉状態に対応する発光パターンを出力する発光パターン出力手段と、上記発光パターン出力手段から出力された発光パターンにしたがって点灯状態が変化する発光サインを生成する発光サイン生成手段と、上記発光サイン生成手段により生成された発光サインをドアの戸締り方向とドアの内側方向に導光して、上記発光サインをドアの戸締り方向とドアの内側方向に向けて表示する発光サイン表示手段とを備え、
上記発光サイン生成手段及び上記発光サイン表示手段は、エレベータの乗場側のドアに内蔵されており、上記発光サイン表示手段は、上記エレベータのドアが戸締り時に、上記ドアが当接する方向の面に向けて上記発光サインを導光するとともに、上記エレベータのドアの内側方向である上記エレベータの乗場方向に向けて上記発光サインを導光し、上記発光サインを上記ドアの戸締り方向と上記エレベータの乗場方向に向けて表示することを特徴とするドア開閉確認装置。
【請求項３】
ドアの開閉状態を示すドア開閉状態信号を入力し、上記ドア開閉状態信号が示すドアの開閉状態に対応する発光パターンを出力する発光パターン出力手段と、上記発光パターン出力手段から出力された発光パターンにしたがって点灯状態が変化する発光サインを生成する発光サイン生成手段と、上記発光サイン生成手段により生成された発光サインをドアの戸締り方向とドアの内側方向に導光して、上記発光サインをドアの戸締り方向とドアの内側方向に向けて表示する発光サイン表示手段とを備え、
上記発光サイン生成手段及び上記発光サイン表示手段は、ホーム柵のドアに内蔵されており、上記発光サイン表示手段は、上記ホーム柵のドアが戸締り時に、上記ドアが当接する方向の面に向けて上記発光サインを導光するとともに、上記ホーム柵のドアの内側方向であるホーム内部方向に上記発光サインを導光し、上記発光サインを上記ドアの戸締り方向と上記ホーム内部方向に向けて表示することを特徴とするドア開閉確認装置。
【請求項４】
ドアの戸締り方向に向けて表示される発光サイン出力用の第１の開口部と、かご室方向に向けて表示される発光サイン出力用の第２の開口部とが、かご側のドアにそれぞれ施されており、
上記第１及び第２の開口部は、所定の間隔で縦一列に配置されている複数の小孔から構成されていることを特徴とする請求項１記載のドア開閉確認装置。
【請求項５】
上記第１及び第２の開口部が上記複数の小孔から構成されている場合、上記複数の小孔は、床から８５０ｍｍの位置を下端にして、所定の間隔で縦一列に配置されていることを特徴とする請求項４記載のドア開閉確認装置。
【請求項６】
上記発光パターン出力手段は、上記ドア開閉状態信号が示すドアの開閉状態が、ドアが閉じている状態からドアが開いている状態に切り換わると、当初は全ての上記小孔から上記発光サインの確認が可能であるが、その後、時間の経過に伴って、上記発光サインの確認が可能な上記小孔の個数が順次減少する発光パターンを上記発光サイン生成手段に出力することを特徴とする請求項４または請求項５記載のドア開閉確認装置。
【請求項７】
上記発光パターン出力手段は、上記発光サイン生成手段に出力済みの発光パターンが、当初より上記発光サインの確認が可能な上記小孔の個数が減少している段階に進行しているときに、挟まれ防止センサからドアの稼動範囲に人間又は物が存在している旨を示す検知信号を受けると、上記発光パターンの進行を先頭に戻す指令を上記発光サイン生成手段に出力することを特徴とする請求項６記載のドア開閉確認装置。
【請求項８】
上記発光パターン出力手段は、上記発光サイン生成手段に出力済みの発光パターンが、当初より上記発光サインの確認が可能な上記小孔の個数が減少している段階に進行しているときに、かご室内に設置されている戸開ボタン又は乗場に設置されている乗場ボタンが押下された場合、上記発光パターンの進行を先頭に戻す指令を上記発光サイン生成手段に出力することを特徴とする請求項６記載のドア開閉確認装置。
【請求項９】
上記発光パターン出力手段は、かご室内に設置されている戸閉ボタンが押下された場合、全ての上記小孔から点滅状態の上記発光サインの確認が可能な発光パターンを上記発光サイン生成手段に出力することを特徴とする請求項６記載のドア開閉確認装置。
【発明の詳細な説明】
【技術分野】
【０００１】
この発明は、例えば、エレベータやホーム柵のドアの開閉タイミングを光で知らせるドア開閉確認装置に関するものである。
【背景技術】
【０００２】
エレベータの利用者は、エレベータの乗降時にドアに挟まれるという漠然とした不安感を持っていると思われる。
このため、挟み込みや引き込みを防止するために、ドアの稼動範囲に人間又は物が存在していることを検知する挟まれ防止センサが搭載されているエレベータが設置されることが多い。
しかし、挟まれ防止センサがエレベータに搭載されている場合でも、利用者がエレベータの乗降時に、乗場ボタンや戸開ボタン、あるいは、戸開スイッチ（セーフティシュー）を押下する行動がよく行われる。
【０００３】
ここで、乗場ボタンは、乗場でエレベータを呼ぶ際に、利用者が押下するボタンであり、エレベータのドアが開いているときに、当該ボタンを押下することで、ドアが開いている状態を維持することができる。また、ドアが閉まりかけているときに、当該ボタンを押下することで、ドアを開く方向に反転させることができる。
また、戸開ボタンは、かご室内に設置されているボタンであり、エレベータのドアが開いているときに、当該ボタンを押下することで、ドアが開いている状態を維持することができる。また、ドアが閉まりかけているときに、当該ボタンを押下することで、ドアを開く方向に反転させることができる。
また、セーフティシューは、かご側のドアと乗場側のドアとの間に配置されて、一部がドアの端部から突出するように設置されており、その突出部分が押し込み型のスイッチを構成している。エレベータのドアが開いているときに、利用者が突出部分を押下することで、ドアが開いている状態を維持することができる。また、ドアが閉まりかけているときに、当該突出部分を押下することで、ドアを開く方向に反転させることができる。
【０００４】
以下の特許文献１，２，３には、利用者の漠然とした不安感を解消するために、ドアの閉動作の開始タイミングを視覚的に予告する発光体をかご側のドア又はセーフティシューに設けている発明が開示されている。
これにより、ドアが開いている状態では、かご室の内外にいる利用者が、まもなくドアが閉じることを認識することができる。
ただし、特許文献１，２，３に開示されている発明は、あくまでも、ドアが閉まる際の利用者の不安感を解消するためのものであるため、ドアの開動作の開始タイミングを視覚的に予告する発光体は設けられていない。
このため、ドアが閉じている状態では、利用者が、ドアの開動作が始まるタイミング等を認識することができない。
【０００５】
また、以下の特許文献４では、ドアが開いている時間を表示する表示器がエレベータの乗場に設置されている発明が開示されている。
ただし、特許文献４に開示されている発明は、あくまでも、エレベータの乗場にいる利用者にドアの開閉情報を知らせるためのものであるため、かご室内には表示器が設けられていない。
このため、かご室の中にいる利用者は、ドアの閉動作や開動作が始まるタイミング等を認識することができない。
【先行技術文献】
【特許文献】
【０００６】
【特許文献１】特開２００２−１７９３７０号公報（段落番号［０００４］から［０００５］、図１）
【特許文献２】特開２００３−２５２５５５号公報（段落番号［００１１］から［００１４］、図１）
【特許文献３】特開２００６−１４３４３９号公報（段落番号［００１１］、図１１）
【特許文献４】特開２００１−３０２１２６号公報（段落番号［００１１］から［００１４］、図１）
【発明の概要】
【発明が解決しようとする課題】
【０００７】
従来の確認装置は以上のように構成されているので、特許文献１〜３の場合、エレベータのドアが閉じている状態では、利用者が、ドアの開動作が始まるタイミング等を認識することができない課題があった。
また、特許文献４の場合、かご室の中にいる利用者は、ドアの閉動作や開動作が始まるタイミング等を認識することができない課題があった。
【０００８】
この発明は上記のような課題を解決するためになされたもので、開閉確認の対象がエレベータのドアである場合、ドアが開いている状態では、かご室の内外にいる利用者が、ドアの閉動作が始まるタイミング等を認識することができ、ドアが閉じている状態では、かご室の中にいる利用者（ドアの内側にいる利用者）が、ドアの開動作が始まるタイミング等を認識することができるドア開閉確認装置を得ることを目的とする。
また、開閉確認の対象がホーム柵のドアである場合、ドアが開いている状態では、ホームにいる利用者（ドアの内側にいる利用者）でも、列車内にいる利用者でも、ドアの閉動作が始まるタイミング等を認識することができ、ドアが閉じている状態では、ホームにいる利用者が、ドアの開動作が始まるタイミング等を認識することができるドア開閉確認装置を得ることを目的とする。
【課題を解決するための手段】
【０００９】
この発明に係るドア開閉確認装置は、ドアの開閉状態を示すドア開閉状態信号を入力し、そのドア開閉状態信号が示すドアの開閉状態に対応する発光パターンを出力する発光パターン出力手段と、その発光パターン出力手段から出力された発光パターンにしたがって点灯状態が変化する発光サインを生成する発光サイン生成手段と、発光サイン生成手段により生成された発光サインをドアの戸締り方向とドアの内側方向に導光して、発光サインをドアの戸締り方向とドアの内側方向に向けて表示する発光サイン表示手段とを備え、発光サイン生成手段及び発光サイン表示手段は、エレベータのかご側のドアに内蔵されており、発光サイン表示手段は、エレベータのドアが戸締り時に、ドアが当接する方向の面に向けて発光サインを導光するとともに、エレベータのドアの内側方向であるかご室方向に向けて発光サインを導光し、発光サインをドアの戸締り方向とかご室方向に向けて表示するようにしたものである。
【発明の効果】
【００１０】
この発明によれば、ドアの開閉状態を示すドア開閉状態信号を入力し、そのドア開閉状態信号が示すドアの開閉状態に対応する発光パターンを出力する発光パターン出力手段と、その発光パターン出力手段から出力された発光パターンにしたがって点灯状態が変化する発光サインを生成する発光サイン生成手段と、発光サイン生成手段により生成された発光サインをドアの戸締り方向とドアの内側方向に導光して、発光サインをドアの戸締り方向とドアの内側方向に向けて表示する発光サイン表示手段とを備え、発光サイン生成手段及び発光サイン表示手段は、エレベータのかご側のドアに内蔵されており、発光サイン表示手段は、エレベータのドアが戸締り時に、ドアが当接する方向の面に向けて発光サインを導光するとともに、エレベータのドアの内側方向であるかご室方向に向けて発光サインを導光し、発光サインをドアの戸締り方向とかご室方向に向けて表示するように構成したので、ドアが開いている状態では、かご室の内外にいる利用者が、ドアの閉動作が始まるタイミング等を認識することができ、ドアが閉じている状態では、かご室の中にいる利用者（ドアの内側にいる利用者）が、ドアの開動作が始まるタイミング等を認識することができる効果がある。
【図面の簡単な説明】
【００１１】
【図１】この発明の実施の形態１によるドア開閉確認装置が実装されているエレベータ装置を示す構成図である。
【図２】この発明の実施の形態１によるドア開閉確認装置の発光サイン用デバイス及び導光レンズの設置例を示す説明図である。
【図３】導光レンズを示す斜視図である。
【図４】発光サイン出力用の開口部が縦一列に７個施されているかご側のドアを示す斜視図である。
【図５】エレベータのドアが閉じている状態をかご室内から見ている説明図である。
【図６】エレベータのドアが開閉動作中の状態をかご室内から見ている説明図である。
【図７】エレベータのドアが開いている状態をかご室内から見ている説明図である。
【図８】この発明の実施の形態１によるドア開閉確認装置の処理内容を示すフローチャートである。
【図９】７個の開口部のうち、上下の開口部の発光サインから順次消灯していく例を示す説明図である。
【図１０】この発明の実施の形態３によるドア開閉確認装置が実装されているホーム柵装置を示す構成図である。
【図１１】この発明の実施の形態３によるドア開閉確認装置の発光サイン用デバイス及び導光レンズの設置例を示す説明図である。
【図１２】導光レンズを示す斜視図である。
【図１３】発光サイン出力用の開口部が縦一列に７個施されているホーム柵のドアを示す斜視図である。
【図１４】この発明の実施の形態３によるドア開閉確認装置の処理内容を示すフローチャートである。
【発明を実施するための形態】
【００１２】
実施の形態１．
図１はこの発明の実施の形態１によるドア開閉確認装置が実装されているエレベータ装置を示す構成図である。
図１において、戸開ボタン１はエレベータのかご室内に設置されているボタンであり、エレベータのドアが開いているときに、利用者がドアの開状態の維持を希望する際に押下するボタンである。また、ドアが閉まりかけているときに、利用者が戸開ボタン１を押下することで、ドアを開く方向に反転させることができる。
戸閉ボタン２はエレベータのかご室内に設置されているボタンであり、エレベータのドアが開いているときに、利用者がドアを直ちに閉じたいときに押下するボタンである。
【００１３】
乗場ボタン３はエレベータの各階の乗場に設置されているボタンであり、乗場でエレベータを呼ぶ際に、利用者が押下するボタンである。また、エレベータのドアが開いているときに、利用者が乗場ボタン３を押下することで、ドアが開いている状態を維持することができる。また、ドアが閉まりかけているときに、乗場ボタン３を押下することで、ドアを開く方向に反転させることができる。
挟まれ防止センサ４はエレベータのドアによる挟み込みや引き込みを防止するために、ドアの稼動範囲に人間又は物が存在していることを検知するセンサである。
【００１４】
セーフティシュー５はかご側のドアと乗場側のドアとの間に配置されて、一部がドアの端部から突出するように設置されており、その突出部分が押し込み型のスイッチを構成している。エレベータのドアが開いているときに、利用者が突出部分を押下することで、ドアが開いている状態を維持することができる。また、ドアが閉まりかけているときに、当該突出部分を押下することで、ドアを開く方向に反転させることができる。
エレベータ制御盤６はエレベータの運行を管理する装置であり、戸開ボタン１、戸閉ボタン２、乗場ボタン３及びセーフティシュー５の押下の有無や、挟まれ防止センサ４の検知結果などを考慮して、エレベータのドアの開閉状態を制御するとともに、ドアの開閉状態を示すドア開閉状態信号をドア開閉確認装置に出力する処理を実施する。
【００１５】
発光サイン用制御基板７は予め複数の発光パターン（発光サインの色や、時間の経過に伴って変化する発光サインの点灯状態（点灯、点滅、消灯）が規定されているパターンであり、例えば、ドアの閉動作が始まるタイミングを知らせる発光パターン、ドアの閉動作の実行を知らせる発光パターン、ドアの開動作が始まるタイミングを知らせる発光パターン、ドアの開動作の実行を知らせる発光パターンなど）を記録しており、複数の発光パターンの中から、エレベータ制御盤６から出力されたドア開閉状態信号に対応する発光パターンを選択し、その発光パターンを発光サイン用デバイス８に出力する処理を実施する。なお、発光サイン用制御基板７は発光パターン出力手段を構成している。
【００１６】
発光サイン用デバイス８はエレベータのかご側のドアに内蔵されており、発光サイン用制御基板７から出力された発光パターンにしたがって点灯状態が変化する発光サインを生成する処理を実施する。なお、発光サイン用デバイス８は発光サイン生成手段を構成している。
導光レンズ９はエレベータのかご側のドアに内蔵されており、発光サイン用デバイス８により生成された発光サインをドアの戸締り方向とかご室方向（ドアの内側方向）に導光して、その発光サインをドアの戸締り方向とかご室方向に向けて表示する。なお、導光レンズ９は発光サイン表示手段を構成している。
【００１７】
図２はこの発明の実施の形態１によるドア開閉確認装置の発光サイン用デバイス８及び導光レンズ９の設置例を示す説明図である。
特に、図２（ａ）は発光サイン用デバイス８及び導光レンズ９がかご側のドアに内蔵されている様子をドアの上部から見ている平面図であり、図２（ｂ）はドアの戸締り方向からドアの内部を見ている側面図であり、図２（ｃ）はかご室方向からドアの内部を見ている側面図である。
図３は導光レンズ９を示す斜視図であり、図４は発光サイン出力用の開口部が縦一列に７個施されているかご側のドアを示す斜視図である。
【００１８】
図２〜図４において、１０はかご側のドアであり、ドア１０の内部に発光サイン用デバイス８及び導光レンズ９が実装されている。
発光サイン用デバイス８により生成された発光サインは、発光サイン用デバイス８の発光部８ａから放射状に出射される。
導光レンズ９は、例えば透明アクリル板や乳白アクリル板などで構成されており、発光サイン用デバイス８により生成された発光サインをドアの戸締り方向に導光する導光面９ａと、発光サインをかご室方向に導光する導光面９ｂとがＬ字型に一体的に形成されている。
なお、導光レンズ９は導光面９ａの突出部分９ａ’がドア１０の開口部１１の位置と一致し、かつ、導光面９ｂの突出部分９ｂ’がドア１０の開口部１２の位置と一致するように配置される。
【００１９】
開口部１１はドア１０に施されている小孔であって、導光レンズ９の導光面９ａから、ドア１０の戸締り方向に向けて表示される発光サイン出力用の孔である。
開口部１２はドア１０に施されている小孔であって、導光レンズ９の導光面９ｂから、かご室方向に向けて表示される発光サイン出力用の孔である。
図４の例では、開口部１１及び開口部１２が、５０ｍｍのピッチで縦一列に７個施されており、７個の開口部１１から第１の開口部が構成されている。また、７個の開口部１２から第２の開口部が構成されている。
図４の場合、７個の導光レンズ９を開口部１１，１２の位置に合わせて配置するようにしてもよいし、導光面９ａ，９ｂのそれぞれに７個の突出部分９ａ’，９ｂ’が形成されている導光レンズ９を開口部１１，１２の位置に合わせて配置するようにしてもよい。
ここでは、開口部１１及び開口部１２の個数が７個である例を示しているが、これは一例に過ぎず、８個以上でも、７個未満でもよい。
【００２０】
図５はエレベータのドア１０が閉じている状態をかご室内から見ている説明図であり、図６はエレベータのドア１０が開閉動作中の状態をかご室内から見ている説明図である。
また、図７はエレベータのドア１０が開いている状態をかご室内から見ている説明図である。
図５〜図７の例では、子供、車椅子利用者及び大人の身長の高・低・平均などが考慮されて検証された視認性結果を参照して、発光サインの確認が最もし易い位置を特定し、その位置に開口部１１及び開口部１２（導光レンズ９）が施されている。
具体的には、床から約８５０ｍｍの位置を下端にして、７個の開口部１１及び開口部１２が約５０ミリの間隔で縦一列に約３５０ｍｍの範囲に配置されている。
【００２１】
なお、ドア１０が閉じている状態では、図５から明らかなように、かご室内から開口部１２を介して発光サインを確認することができる。
ドア１０が開閉動作中である状態では、図６から明らかなように、かご室内及び乗場の双方から、開口部１１，１２を介して発光サインを確認することができる。
ドア１０が開いている状態では、図７から明らかなように、かご室内及び乗場の双方から、開口部１１を介して発光サインを確認することができる。
【００２２】
次に動作について説明する。
図８はこの発明の実施の形態１によるドア開閉確認装置の処理内容を示すフローチャートである。
エレベータのかご室が昇降している最中は、エレベータ制御盤６が、ドア１０が閉じている旨を示すドア開閉状態信号をドア開閉確認装置の発光サイン用制御基板７に出力している。
エレベータ制御盤６は、エレベータのかご室が目的のフロアに到着すると（あるいは、目的のフロアに近づくと）、ドア１０を開く前に、まもなくドア１０を開ける旨を示すドア開閉状態信号を発光サイン用制御基板７に出力する。
【００２３】
発光サイン用制御基板７は、エレベータ制御盤６からまもなくドア１０を開ける旨を示すドア開閉状態信号を受けると、予め記録している複数の発光パターンの中から、まもなくドア１０が開くことを利用者に通知するための発光パターンを選択し、その発光パターンを発光サイン用デバイス８に出力する。
まもなくドア１０が開くことを利用者に通知するための発光パターンとして、例えば、赤色の発光サインを所定時間（例えば、１０秒）点滅させる発光パターンを選択する。
【００２４】
発光サイン用デバイス８は、発光サイン用制御基板７から発光パターンを受けると、その発光パターンにしたがって点灯状態が変化する発光サインを生成し、発光部８ａから、その発光サインを放射状に出射する。
例えば、発光サイン用制御基板７から赤色の発光サインを所定時間点滅させる発光パターンを受けると、赤色の光を所定時間点滅させる発光サインを生成する。
【００２５】
導光レンズ９の導光面９ａは、発光サイン用デバイス８の発光部８ａから出射された発光サインをドア１０の戸締り方向に導光し、その発光サインをドア１０の戸締り方向に向けて表示する（ドア１０が閉じているため、ドア１０の戸締り方向に向けて表示された発光サインは確認することができない）。
導光レンズ９の導光面９ｂは、発光サイン用デバイス８の発光部８ａから出射された発光サインをドア１０のかご室方向に導光し、その発光サインをドア１０のかご室方向に向けて表示する。
これにより、ドア１０に施されている全ての開口部１２（図５の例では、７個の開口部１２）から発光サインが出力されるので、かご室内の利用者は、ドア１０が閉じている状態で、例えば、赤色の光が所定時間点滅する発光サインを確認することができる（ステップＳＴ１）。
かご室内の利用者は、赤点滅の発光サインを確認することで、まもなくドア１０が開くことを認識することができるので、ドア１０の開動作に伴う引き込まれについて注意することが可能になる。
【００２６】
その後、エレベータ制御盤６は、ドア１０の開動作を行う際、ドア１０の開動作を行う旨を示すドア開閉状態信号を発光サイン用制御基板７に出力する。
発光サイン用制御基板７は、エレベータ制御盤６からドア１０の開動作を行う旨を示すドア開閉状態信号を受けると、予め記録している複数の発光パターンの中から、ドア１０の開動作を利用者に通知するための発光パターンを選択し、その発光パターンを発光サイン用デバイス８に出力する。
ドア１０の開動作を利用者に通知するための発光パターンとして、例えば、緑色の発光サインを開動作中点滅させる発光パターンを選択する。
【００２７】
発光サイン用デバイス８は、発光サイン用制御基板７から発光パターンを受けると、その発光パターンにしたがって点灯状態が変化する発光サインを生成し、発光部８ａから、その発光サインを放射状に出射する。
例えば、発光サイン用制御基板７から緑色の発光サインを開動作中点滅させる発光パターンを受けると、緑色の光を点滅させる発光サインを生成する。
【００２８】
導光レンズ９の導光面９ａは、発光サイン用デバイス８の発光部８ａから出射された発光サインをドア１０の戸締り方向に導光し、その発光サインをドア１０の戸締り方向に向けて表示する。
導光レンズ９の導光面９ｂは、発光サイン用デバイス８の発光部８ａから出射された発光サインをドア１０のかご室方向に導光し、その発光サインをドア１０のかご室方向に向けて表示する。
これにより、ドア１０に施されている全ての開口部１１，１２（図６の例では、７個の開口部１１，１２）から発光サインが出力されるので、かご室内の利用者は、ドア１０の開動作が行われている間、開口部１１又は開口部１２を介して、緑色の光が点滅する発光サインを確認することができる（ステップＳＴ２）。
また、乗場にいる利用者も、ドア１０の開動作が行われている間、開口部１１を介して、緑色の光が点滅する発光サインを確認することができる（ステップＳＴ２）。
かご室及び乗場にいる利用者は、緑点滅の発光サインを確認することで、ドア１０の開動作中であることを認識することができるので、ドア１０の開動作に伴う引き込まれについて注意することが可能になる。
【００２９】
エレベータ制御盤６は、ドア１０の開動作が完了して、ドア１０が開いている状態になると、ドア１０が開いている旨を示すドア開閉状態信号を発光サイン用制御基板７に出力する。
発光サイン用制御基板７は、エレベータ制御盤６からドア１０が開いている旨を示すドア開閉状態信号を受けると、予め記録している複数の発光パターンの中から、ドア１０の閉動作が始まるタイミングを利用者に通知するための発光パターンを選択し、その発光パターンを発光サイン用デバイス８に出力する。
ドア１０の閉動作が始まるタイミングを利用者に通知するための発光パターンとして、例えば、当初は全ての開口部１１（図７の例では、７個の開口部１１）から緑色の発光サインの確認が可能であるが、その後、時間の経過に伴って、発光サインの確認が可能な開口部１１の個数が順次減少する発光パターンを選択する。
ここで、図９は７個の開口部１１のうち、上下の開口部１１の発光サインから順次消灯していく例を示している。
【００３０】
発光サイン用デバイス８は、発光サイン用制御基板７から発光パターンを受けると、その発光パターンにしたがって点灯状態が変化する発光サインを生成し、発光部８ａから、その発光サインを放射状に出射する。
例えば、発光サイン用制御基板７からドア１０の閉動作が始まるタイミングを利用者に通知するための発光パターンを受けると、図９のように点灯状態が変化する発光サインを生成する。
【００３１】
導光レンズ９の導光面９ａは、発光サイン用デバイス８の発光部８ａから出射された発光サインをドア１０の戸締り方向に導光し、その発光サインをドア１０の戸締り方向に向けて表示する。
導光レンズ９の導光面９ｂは、発光サイン用デバイス８の発光部８ａから出射された発光サインをドア１０のかご室方向に導光し、その発光サインをドア１０のかご室方向に向けて表示する（ドア１０が開いているため、ドア１０のかご室方向に向けて表示された発光サインは確認することができない）。
これにより、ドア１０の開動作が完了した時点では、ドア１０に施されている全ての開口部１１（図７の例では、７個の開口部１１）から緑色の発光サインが出力されるので、かご室及び乗場にいる利用者は、ドア１０が開いている状態で、緑色の発光サインを確認することができる（ステップＳＴ３）。
かご室及び乗場にいる利用者は、全ての開口部１１から緑色の発光サインを確認することができるため、ドア１０が閉まるまでに十分な時間があることを認識し、安心感をもって、エレベータの乗降を行うことができる。
【００３２】
また、ドア１０の開動作が完了した時点から、時間の経過に伴って、発光サインの確認が可能な開口部１１の個数が、ドア開設定時間に応じて順次減少するので（ステップＳＴ３）、かご室及び乗場にいる利用者は、ドア１０の閉動作が始まるタイミングを認識することができる。
このため、かご室及び乗場にいる利用者は、必要以上に慌てることなく、安心感をもって、エレベータの乗降を行うことができる。
【００３３】
エレベータ制御盤６は、ドア１０が開いている状態であるとき、利用者が戸開ボタン１、乗場ボタン３又はセーフティシュー５のいずれかを押下すると（ステップＳＴ４、ＳＴ５、ＳＴ６）、ドア１０の開状態が更に維持されるため、発光パターンの進行を先頭に戻す指令を発光サイン用制御基板７に出力する。
即ち、利用者が戸開ボタン１、乗場ボタン３又はセーフティシュー５のいずれかを押下している状況下では、ドア１０の開状態が更に維持されて、ドア１０の閉動作が始まるタイミングが遅くなる。
エレベータ制御盤６は、戸開ボタン１等の押下によって遅くなった閉動作の開始タイミングを利用者に知らせるため、発光パターン（ドア１０の閉動作が始まるタイミングを利用者に通知するための発光パターン）を最初から実行し直す指令を発光サイン用制御基板７に出力する。
【００３４】
また、エレベータ制御盤６は、ドア１０が開いている状態であるとき、挟まれ防止センサ４がドア１０の稼動範囲に人間又は物が存在していることを検知すると（ステップＳＴ７）、安全を確保するためにドア１０の開状態が更に維持されるので、発光パターンの進行を先頭に戻す指令を発光サイン用制御基板７に出力する。
即ち、挟まれ防止センサ４がドアの稼動範囲に人間又は物が存在していることを検知している状況下では、安全上、ドア１０を閉めることは危険であることから、ドア１０の開状態が更に維持されて、ドア１０の閉動作が始まるタイミングが遅くなる。
エレベータ制御盤６は、挟まれ防止センサ４の検知によって遅くなった閉動作の開始タイミングを利用者に知らせるため、発光パターン（ドア１０の閉動作が始まるタイミングを利用者に通知するための発光パターン）を最初から実行し直す指令を発光サイン用制御基板７に出力する。
【００３５】
発光サイン用制御基板７は、エレベータ制御盤６から発光パターンの進行を先頭に戻す指令を受けると、改めて、ドア１０の閉動作が始まるタイミングを利用者に通知するための発光パターンを発光サイン用デバイス８に出力する。
発光サイン用デバイス８は、発光サイン用制御基板７から、改めて、上記の発光パターンを受けると、その発光パターンにしたがって点灯状態が変化する発光サインを生成し、発光部８ａから、その発光サインを放射状に出射する。
【００３６】
導光レンズ９の導光面９ａは、発光サイン用デバイス８の発光部８ａから出射された発光サインをドア１０の戸締り方向に導光し、その発光サインをドア１０の戸締り方向に向けて表示する。
導光レンズ９の導光面９ｂは、発光サイン用デバイス８の発光部８ａから出射された発光サインをドア１０のかご室方向に導光し、その発光サインをドア１０のかご室方向に向けて表示する（ドア１０が開いているため、ドア１０のかご室方向に向けて表示された発光サインは確認することができない）。
これにより、利用者が戸開ボタン１、乗場ボタン３又はセーフティシュー５のいずれかを押下した時点、あるいは、挟まれ防止センサ４によりドア１０の稼動範囲に人間又は物が存在していることが検知された時点では、ドア１０に施されている全ての開口部１１（図７の例では、７個の開口部１１）から緑色の発光サインが出力されるので、かご室及び乗場にいる利用者は、ドア１０が開いている状態で、緑色の発光サインを確認することができる（ステップＳＴ８）。
かご室及び乗場にいる利用者は、全ての開口部１１から緑色の発光サインを確認することができるため、ドア１０が閉まるまでに十分な時間があることを認識し、安心感をもって、エレベータの乗降を行うことができる。
また、挟まれ防止センサ４が正常に働いていることが利用者に認識されて、安心感を与えることができる。
【００３７】
その後、時間が経過すると、発光サインの確認が可能な開口部１１の個数が、ドア開設定時間に応じて順次減少するので（ステップＳＴ３）、かご室及び乗場にいる利用者は、ドア１０の閉動作が始まるタイミングを認識することができる。
このため、かご室及び乗場にいる利用者は、必要以上に慌てることなく、安心感をもって、エレベータの乗降を行うことができる。
ドア１０が開いている状態であるとき、利用者が戸閉ボタン２を押下しなければ（ステップＳＴ９）、ドア開設定時間を経過した時点（ドア１０の閉動作が始まる直前の時点）で、緑色の発光サインが全て消灯する（ステップＳＴ１０）。
【００３８】
エレベータ制御盤６は、ドア開設定時間を経過すると（あるいは、ドア１０が開いている状態であるとき、利用者が戸閉ボタン２を押下した場合）、ドア１０の閉動作を行う旨を示すドア開閉状態信号を発光サイン用制御基板７に出力する。
発光サイン用制御基板７は、エレベータ制御盤６からドア１０の閉動作を行う旨を示すドア開閉状態信号を受けると、予め記録している複数の発光パターンの中から、ドア１０の閉動作を利用者に通知するための発光パターンを選択し、その発光パターンを発光サイン用デバイス８に出力する。
ドア１０の閉動作を利用者に通知するための発光パターンとして、例えば、赤色の発光サインを閉動作中点滅させる発光パターンを選択する。
【００３９】
発光サイン用デバイス８は、発光サイン用制御基板７から発光パターンを受けると、その発光パターンにしたがって点灯状態が変化する発光サインを生成し、発光部８ａから、その発光サインを放射状に出射する。
例えば、発光サイン用制御基板７から赤色の発光サインを閉動作中点滅させる発光パターンを受けると、赤色の光を点滅させる発光サインを生成する。
【００４０】
導光レンズ９の導光面９ａは、発光サイン用デバイス８の発光部８ａから出射された発光サインをドア１０の戸締り方向に導光し、その発光サインをドア１０の戸締り方向に向けて表示する。
導光レンズ９の導光面９ｂは、発光サイン用デバイス８の発光部８ａから出射された発光サインをドア１０のかご室方向に導光し、その発光サインをドア１０のかご室方向に向けて表示する。
これにより、ドア１０に施されている全ての開口部１１，１２（図６の例では、７個の開口部１１，１２）から発光サインが出力されるので、かご室内の利用者は、ドア１０の閉動作が行われている間、開口部１１又は開口部１２を介して、赤色の光が点滅する発光サインを確認することができる（ステップＳＴ１１）。
また、乗場にいる利用者も、ドア１０の閉動作が行われている間、開口部１１を介して、赤色の光が点滅する発光サインを確認することができる（ステップＳＴ１１）。
かご室及び乗場にいる利用者は、赤点滅の発光サインを確認することで、ドア１０の閉動作中であることを認識することができるので、ドア１０の閉動作に伴う挟み込みについて注意することが可能になる。
【００４１】
ただし、エレベータ制御盤６は、ドア１０の閉動作中に、利用者が戸開ボタン１、乗場ボタン３又はセーフティシュー５のいずれかを押下すると（ステップＳＴ１２、ＳＴ１３、ＳＴ１４）、閉まりかけているドア１０を開く方向に反転させる。
エレベータ制御盤６は、閉まりかけているドア１０を開く方向に反転させる際、ドア１０の開動作を行う旨を示すドア開閉状態信号を発光サイン用制御基板７に出力する。
発光サイン用制御基板７は、エレベータ制御盤６からドア１０の開動作を行う旨を示すドア開閉状態信号を受けると、予め記録している複数の発光パターンの中から、ドア１０の開動作を利用者に通知するための発光パターンを選択し、その発光パターンを発光サイン用デバイス８に出力する。
ドア１０の開動作を利用者に通知するための発光パターンとして、例えば、緑色の発光サインを開動作中点滅させる発光パターンを選択する。
【００４２】
発光サイン用デバイス８は、発光サイン用制御基板７から発光パターンを受けると、その発光パターンにしたがって点灯状態が変化する発光サインを生成し、発光部８ａから、その発光サインを放射状に出射する。
導光レンズ９の導光面９ａは、発光サイン用デバイス８の発光部８ａから出射された発光サインをドア１０の戸締り方向に導光し、その発光サインをドア１０の戸締り方向に向けて表示する。
導光レンズ９の導光面９ｂは、発光サイン用デバイス８の発光部８ａから出射された発光サインをドア１０のかご室方向に導光し、その発光サインをドア１０のかご室方向に向けて表示する。
【００４３】
これにより、ドア１０に施されている全ての開口部１１，１２（図６の例では、７個の開口部１１，１２）から発光サインが出力されるので、かご室内の利用者は、ドア１０の開動作が行われている間、開口部１１又は開口部１２を介して、緑色の光が点滅する発光サインを確認することができる（ステップＳＴ２）。
また、乗場にいる利用者も、ドア１０の開動作が行われている間、開口部１１を介して、緑色の光が点滅する発光サインを確認することができる（ステップＳＴ２）。
かご室及び乗場にいる利用者は、緑点滅の発光サインを確認することで、ドア１０の開動作中であることを認識することができるので、ドア１０の開動作に伴う引き込まれについて注意することが可能になる。
【００４４】
また、エレベータ制御盤６は、ドア１０の閉動作中に、挟まれ防止センサ４がドア１０の稼動範囲に人間又は物が存在していることを検知すると（ステップＳＴ１５）、安全を確保するために、閉まりかけているドア１０を開く方向に反転させる。
この場合も、利用者が戸開ボタン１、乗場ボタン３又はセーフティシュー５のいずれかを押下した場合と同様に、ステップＳＴ２の処理に戻る。
【００４５】
ドア１０の閉動作中に、利用者が戸開ボタン１、乗場ボタン３、セーフティシュー５のいずれも押下せず、挟まれ防止センサ４がドア１０の稼動範囲に人間又は物が存在していることを検知しなければ、ドア１０の閉動作が完了して、ドア１０が閉じている状態になる。
ドア１０が閉じている状態では、発光パターンは全て消灯している（ステップＳＴ１６）。
【００４６】
以上で明らかなように、この実施の形態１によれば、ドア１０の開閉状態を示すドア開閉状態信号を入力し、そのドア開閉状態信号が示すドア１０の開閉状態に対応する発光パターンを出力する発光サイン用制御基板７と、発光サイン用制御基板７から出力された発光パターンにしたがって点灯状態が変化する発光サインを生成する発光サイン用デバイス８とを設け、導光レンズ９が発光サイン用デバイス８により生成された発光サインをドア１０の戸締り方向とかご室方向に導光して、その発光サインをドア１０の戸締り方向とかご室方向に向けて表示するように構成したので、ドア１０が開いている状態では、かご室の内外にいる利用者が、ドア１０の閉動作が始まるタイミング等を認識することができ、ドア１０が閉じている状態では、かご室の中にいる利用者が、ドア１０の開動作が始まるタイミング等を認識することができる効果を奏する。
【００４７】
また、この実施の形態１によれば、ドア１０の戸締り方向に向けて表示される発光サイン出力用の開口部１１と、かご室方向に向けて表示される発光サイン出力用の開口部１２とが、かご側のドア１０にそれぞれ施されており、開口部１１，１２のそれぞれが、所定の間隔で縦一列に配置されている複数の小孔から構成されているので、ドア１０の強度を確保することができる効果を奏する。
即ち、発光サイン用デバイス８及び導光レンズ９の大きさに合わせて、ドア１０の一部をくり抜いて、発光サイン用デバイス８及び導光レンズ９を設置する場合、ドア１０の強度が大幅に低下することが考えられるが、この実施の形態１では、複数の小孔をドア１０に施しているだけであるため、ドア１０の強度を確保することができる。
【００４８】
この実施の形態１によれば、発光サインを確認する際の視認性の検証結果が考慮された高さ位置に、７個の開口部１１，１２が所定の間隔で縦一列に配置されているように構成したので、子供でも、車椅子利用者でも、大人でも容易に発光サインを確認することができる効果を奏する。
【００４９】
また、この実施の形態１によれば、ドア開閉状態信号が示すドアの開閉状態が、ドアが閉じている状態からドアが開いている状態に切り換わると、発光サイン用制御基板７が、当初は全ての開口部１１から発光サインの確認が可能であるが、その後、時間の経過に伴って、発光サインの確認が可能な開口部１１の個数が順次減少する発光パターンを発光サイン用デバイス８に出力するように構成したので、かご室の内外にいる利用者が、ドア１０の開動作が始まるタイミングを感覚的に認識することができる効果を奏する。
【００５０】
この実施の形態１によれば、発光サイン用デバイス８に出力済みの発光パターンが、当初より発光サインの確認が可能な開口部１１の個数が減少している段階に進行しているときに、発光サイン用制御基板７が、挟まれ防止センサ４からドア１１の稼動範囲に人間又は物が存在している旨を示す検知信号を受けると、その発光パターンの進行を先頭に戻す指令を発光サイン用デバイス８に出力するように構成したので、安全を確保するためにドア１０の開状態が更に維持されるようになっても、ドア１０の閉動作が始まるタイミングを利用者に知らせることができる効果を奏する。
【００５１】
また、この実施の形態１によれば、発光サイン用デバイス８に出力済みの発光パターンが、当初より発光サインの確認が可能な開口部１１の個数が減少している段階に進行しているときに、戸開ボタン１、乗場ボタン３又はセーフティシュー５のいずれかが押下された場合、発光サイン用制御基板７が、その発光パターンの進行を先頭に戻す指令を発光サイン用デバイス８に出力するように構成したので、利用者の希望で、ドア１０の開状態が更に維持されるようになっても、ドア１０の閉動作が始まるタイミングを利用者に知らせることができる効果を奏する。
【００５２】
この実施の形態１によれば、ドア１０が開いている状態のとき、戸閉ボタン２が押下された場合、発光サイン用制御基板７が、全ての開口部１１から赤点滅の発光サインの確認が可能な発光パターンを発光サイン用デバイス８に出力するように構成したので、まもなくドア１０の閉動作が始まることを利用者に知らせることができる効果を奏する。
【００５３】
実施の形態２．
上記実施の形態１では、発光サイン用デバイス８及び導光レンズ９が、かご側のドア１０に内蔵されているものを示したが、発光サイン用デバイス８及び導光レンズ９が、乗場側のドアに内蔵されているようにしてもよい。
この場合、導光レンズ９の導光面９ａは、上記実施の形態１と同様に、発光サイン用デバイス８の発光部８ａから出射された発光サインをドアの戸締り方向に導光して、その発光サインをドアの戸締り方向に向けて表示するが、導光レンズ９の導光面９ｂは、発光サイン用デバイス８の発光部８ａから出射された発光サインを乗場方向（乗場側のドアの内側方向）に導光して、その発光サインを乗場方向に向けて表示する。
これにより、乗場側のドアが閉じている状態では、乗場にいる利用者が、ドアの開動作が始まるタイミング等を認識することができる効果を奏する。
【００５４】
実施の形態３．
図１０はこの発明の実施の形態３によるドア開閉確認装置が実装されているホーム柵装置を示す構成図である。
図１０において、戸開ボタン１１は例えば駅員や列車の乗務員が操作するボタンであり、ホーム柵のドアを開ける際に押下するボタンである。また、ホーム柵のドアが閉まりかけているときに、駅員等が戸開ボタン１１を押下することで、ドアを開く方向に反転させることができる。
戸閉ボタン１２は例えば駅員や列車の乗務員が操作するボタンであり、ホーム柵のドアを閉じる際に押下するボタンである。また、ホーム柵のドアが開きかけているときに、駅員等が戸閉ボタン１２を押下することで、ドアを閉じる方向に反転させることができる。
【００５５】
ホーム柵制御盤１３は列車のドアに連動して、ホーム柵のドアの開閉を制御する装置であり、駅員等が戸開ボタン１１や戸閉ボタン１２を押下した場合も、ホーム柵のドアの開閉を行う。
なお、ホーム柵制御盤１３はホーム柵のドアの開閉状態を示すドア開閉状態信号をドア開閉確認装置に出力する処理を実施する。
【００５６】
発光サイン用制御基板１４は予め複数の発光パターン（発光サインの色や、時間の経過に伴って変化する発光サインの点灯状態（点灯、点滅、消灯）が規定されているパターンであり、例えば、ドアの閉動作が始まるタイミングを知らせる発光パターン、ドアの閉動作の実行を知らせる発光パターン、ドアの開動作が始まるタイミングを知らせる発光パターン、ドアの開動作の実行を知らせる発光パターンなど）を記録しており、複数の発光パターンの中から、ホーム柵制御盤１３から出力されたドア開閉状態信号に対応する発光パターンを選択し、その発光パターンを発光サイン用デバイス１５に出力する処理を実施する。なお、発光サイン用制御基板１４は発光パターン出力手段を構成している。
【００５７】
発光サイン用デバイス１５はホーム柵のドアに内蔵されており、発光サイン用制御基板１４から出力された発光パターンにしたがって点灯状態が変化する発光サインを生成する処理を実施する。なお、発光サイン用デバイス１５は発光サイン生成手段を構成している。
導光レンズ１６はホーム柵のドアに内蔵されており、発光サイン用デバイス１５により生成された発光サインをドアの戸締り方向とホーム内部方向（ホーム柵のドアの内側方向）に導光して、その発光サインをドアの戸締り方向とホーム内部方向に向けて表示する。なお、導光レンズ１６は発光サイン表示手段を構成している。
【００５８】
図１１はこの発明の実施の形態３によるドア開閉確認装置の発光サイン用デバイス１５及び導光レンズ１６の設置例を示す説明図である。
特に、図１１（ａ）は発光サイン用デバイス１５及び導光レンズ１６がホーム柵のドアに内蔵されている様子をドアの上部から見ている平面図であり、図１１（ｂ）はドアの戸締り方向からドアの内部を見ている側面図であり、図１１（ｃ）はホーム内部方向からドアの内部を見ている側面図である。
図１２は導光レンズ１６を示す斜視図であり、図１３は発光サイン出力用の開口部が縦一列に７個施されているホーム柵のドアを示す斜視図である。
【００５９】
図１１〜図１３において、２０はホーム柵のドアであり、ドア２０の内部に発光サイン用デバイス１５及び導光レンズ１６が実装されている。
発光サイン用デバイス１５により生成された発光サインは、発光サイン用デバイス１５の発光部１５ａから放射状に出射される。
導光レンズ１６は、例えば透明アクリル板や乳白アクリル板などで構成されており、発光サイン用デバイス１５により生成された発光サインをドアの戸締り方向に導光する導光面１６ａと、発光サインをホーム内部方向に導光する導光面１６ｂとがＬ字型に一体的に形成されている。
なお、導光レンズ１６は導光面１６ａの突出部分１６ａ’がドア２０の開口部２１の位置と一致し、かつ、導光面１６ｂの突出部分１６ｂ’がドア２０の開口部２２の位置と一致するように配置される。
【００６０】
開口部２１はドア２０に施されている小孔であって、導光レンズ１６の導光面１６ａから、ドア２０の戸締り方向に向けて表示される発光サイン出力用の孔である。
開口部２２はドア２０に施されている小孔であって、導光レンズ１６の導光面１６ｂから、ホーム内部方向に向けて表示される発光サイン出力用の孔である。
図１３の例では、開口部２１及び開口部２２が、５０ｍｍのピッチで縦一列に７個施されており、７個の開口部２１から第１の開口部が構成されている。また、７個の開口部２２から第２の開口部が構成されている。
図１３の場合、７個の導光レンズ１６を開口部１１，１２の位置に合わせて配置するようにしてもよいし、導光面１６ａ，１６ｂのそれぞれに７個の突出部分１６ａ’，１６ｂ’が形成されている導光レンズ１６を開口部１１，１２の位置に合わせて配置するようにしてもよい。
ここでは、開口部２１及び開口部２２の個数が７個である例を示しているが、これは一例に過ぎず、８個以上でも、７個未満でもよい。
【００６１】
次に動作について説明する。
図１４はこの発明の実施の形態３によるドア開閉確認装置の処理内容を示すフローチャートである。
列車がホームに到着していない段階では、ホーム柵制御盤１３が、ドア２０が閉じている旨を示すドア開閉状態信号をドア開閉確認装置の発光サイン用制御基板１４に出力している。
ホーム柵制御盤１３は、列車がホームに到着すると（あるいは、列車がホームに近づくと）、列車の乗務員が列車のドアを開く前に、まもなくホーム柵のドア２０を開ける旨を示すドア開閉状態信号を発光サイン用制御基板７に出力する。
なお、列車の到着は、図示せぬセンサから信号を受けることで認識するようにしてもよいし、列車の乗務員等がボタン操作で知らせるようにしてもよい。
【００６２】
発光サイン用制御基板１４は、ホーム柵制御盤１３からまもなくドア２０を開ける旨を示すドア開閉状態信号を受けると、予め記録している複数の発光パターンの中から、まもなくドア２０が開くことを利用者に通知するための発光パターンを選択し、その発光パターンを発光サイン用デバイス１５に出力する。
まもなくドア２０が開くことを利用者に通知するための発光パターンとして、例えば、赤色の発光サインを所定時間（例えば、１０秒）点滅させる発光パターンを選択する。
【００６３】
発光サイン用デバイス１５は、発光サイン用制御基板１４から発光パターンを受けると、その発光パターンにしたがって点灯状態が変化する発光サインを生成し、発光部１５ａから、その発光サインを放射状に出射する。
例えば、発光サイン用制御基板１４から赤色の発光サインを所定時間点滅させる発光パターンを受けると、赤色の光を所定時間点滅させる発光サインを生成する。
【００６４】
導光レンズ１６の導光面１６ａは、発光サイン用デバイス１５の発光部１５ａから出射された発光サインをドア２０の戸締り方向に導光し、その発光サインをドア２０の戸締り方向に向けて表示する（ドア２０が閉じているため、ドア２０の戸締り方向に向けて表示された発光サインは確認することができない）。
導光レンズ１６の導光面１６ｂは、発光サイン用デバイス１５の発光部１５ａから出射された発光サインをホーム内部方向に導光し、その発光サインをホーム内部方向に向けて表示する。
これにより、ドア２０に施されている全ての開口部２２（図１３の例では、７個の開口部２２）から発光サインが出力されるので、ホームにいる利用者は、ドア２０が閉じている状態で、例えば、赤色の光が所定時間点滅する発光サインを確認することができる（ステップＳＴ２１）。
ホームにいる利用者は、赤点滅の発光サインを確認することで、まもなくホーム柵のドア２０が開くことを認識することができるので、ドア２０の開動作に伴う引き込まれについて注意することが可能になる。
【００６５】
その後、ホーム柵制御盤１３は、ドア２０の開動作を行う際（列車のドアの開動作に連動して、ドア２０を開ける際）、ドア２０の開動作を行う旨を示すドア開閉状態信号を発光サイン用制御基板１４に出力する。
発光サイン用制御基板１４は、ホーム柵制御盤１３からドア２０の開動作を行う旨を示すドア開閉状態信号を受けると、予め記録している複数の発光パターンの中から、ドア２０の開動作を利用者に通知するための発光パターンを選択し、その発光パターンを発光サイン用デバイス１５に出力する。
ドア２０の開動作を利用者に通知するための発光パターンとして、例えば、緑色の発光サインを開動作中点滅させる発光パターンを選択する。
【００６６】
発光サイン用デバイス１５は、発光サイン用制御基板１４から発光パターンを受けると、その発光パターンにしたがって点灯状態が変化する発光サインを生成し、発光部１５ａから、その発光サインを放射状に出射する。
例えば、発光サイン用制御基板１４から緑色の発光サインを開動作中点滅させる発光パターンを受けると、緑色の光を点滅させる発光サインを生成する。
【００６７】
導光レンズ１６の導光面１６ａは、発光サイン用デバイス１５の発光部１５ａから出射された発光サインをドア２０の戸締り方向に導光し、その発光サインをドア２０の戸締り方向に向けて表示する。
導光レンズ１６の導光面１６ｂは、発光サイン用デバイス１５の発光部１５ａから出射された発光サインをホーム内部方向に導光し、その発光サインをホーム内部方向に向けて表示する。
これにより、ドア２０に施されている全ての開口部２１，２２（図１３の例では、７個の開口部２１，２２）から発光サインが出力されるので、ホームにいる利用者は、ドア２０の開動作が行われている間、開口部２１又は開口部２２を介して、緑色の光が点滅する発光サインを確認することができる（ステップＳＴ２２）。
また、列車に乗車している利用者も、ドア２０の開動作が行われている間、開口部２１を介して、緑色の光が点滅する発光サインを確認することができる（ステップＳＴ２２）。
ホーム及び列車にいる利用者は、緑点滅の発光サインを確認することで、ドア２０の開動作中であることを認識することができるので、ドア２０の開動作に伴う引き込まれについて注意することが可能になる。
【００６８】
ホーム柵制御盤１３は、ドア２０の開動作が完了して、ドア２０が開いている状態になると、ドア２０が開いている旨を示すドア開閉状態信号を発光サイン用制御基板１４に出力する。
発光サイン用制御基板１４は、ホーム柵制御盤１３からドア２０が開いている旨を示すドア開閉状態信号を受けると、予め記録している複数の発光パターンの中から、ドア２０の閉動作が始まるタイミングを利用者に通知するための発光パターンを選択し、その発光パターンを発光サイン用デバイス１５に出力する。
ドア２０の閉動作が始まるタイミングを利用者に通知するための発光パターンとして、例えば、当初は全ての開口部２１から緑色の発光サインの確認が可能であるが、その後、時間の経過に伴って、発光サインの確認が可能な開口部２１の個数が順次減少する発光パターンを選択する。
【００６９】
発光サイン用デバイス１５は、発光サイン用制御基板１４から発光パターンを受けると、その発光パターンにしたがって点灯状態が変化する発光サインを生成し、発光部１５ａから、その発光サインを放射状に出射する。
例えば、発光サイン用制御基板１４からドア２０の閉動作が始まるタイミングを利用者に通知するための発光パターンを受けると、図９のように点灯状態が変化する発光サインを生成する。
【００７０】
導光レンズ１６の導光面１６ａは、発光サイン用デバイス１５の発光部１５ａから出射された発光サインをドア２０の戸締り方向に導光し、その発光サインをドア２０の戸締り方向に向けて表示する。
導光レンズ１６の導光面１６ｂは、発光サイン用デバイス１５の発光部１５ａから出射された発光サインをホーム内部方向に導光し、その発光サインをホーム内部方向に向けて表示する（ドア２０が開いているため、ホーム内部方向に向けて表示された発光サインは確認することができない）。
これにより、ドア２０の開動作が完了した時点では、ドア２０に施されている全ての開口部２１から緑色の発光サインが出力されるので、ホーム及び列車にいる利用者は、ドア２０が開いている状態で、緑色の発光サインを確認することができる（ステップＳＴ２３）。
ホーム及び列車にいる利用者は、全ての開口部２１から緑色の発光サインを確認することができるため、ドア２０が閉まるまでに十分な時間があることを認識し、安心感をもって、列車の乗降を行うことができる。
【００７１】
また、ドア２０の開動作が完了した時点から、時間の経過に伴って、発光サインの確認が可能な開口部２１の個数が、列車停車時間に応じて順次減少するので（ステップＳＴ２３）、ホーム及び列車にいる利用者は、ドア２０の閉動作が始まるタイミングを認識することができる。
このため、ホーム及び列車にいる利用者は、必要以上に慌てることなく、安心感をもって、列車の乗降を行うことができる。
【００７２】
ホーム柵制御盤１３は、ドア２０が開いている状態であるとき、駅員等が戸開ボタン１１を押下すると（ステップＳＴ２４）、ドア２０の開状態が更に維持されるため、発光パターンの進行を先頭に戻す指令を発光サイン用制御基板１４に出力する。
即ち、駅員等が戸開ボタン１１を押下している状況下では、ドア２０の開状態が更に維持されて、ドア２０の閉動作が始まるタイミングが遅くなる。
ホーム柵制御盤１３は、戸開ボタン１１の押下によって遅くなった閉動作の開始タイミングを利用者に知らせるため、発光パターン（ドア２０の閉動作が始まるタイミングを利用者に通知するための発光パターン）を最初から実行し直す指令を発光サイン用制御基板１４に出力する。
【００７３】
発光サイン用制御基板１４は、ホーム柵制御盤１３から発光パターンの進行を先頭に戻す指令を受けると、改めて、ドア２０の閉動作が始まるタイミングを利用者に通知するための発光パターンを発光サイン用デバイス１５に出力する。
発光サイン用デバイス１５は、発光サイン用制御基板１４から、改めて、上記の発光パターンを受けると、その発光パターンにしたがって点灯状態が変化する発光サインを生成し、発光部１５ａから、その発光サインを放射状に出射する。
【００７４】
導光レンズ１６の導光面１６ａは、発光サイン用デバイス１５の発光部１５ａから出射された発光サインをドア２０の戸締り方向に導光し、その発光サインをドア２０の戸締り方向に向けて表示する。
導光レンズ１６の導光面１６ｂは、発光サイン用デバイス１５の発光部１５ａから出射された発光サインをホーム内部方向に導光し、その発光サインをホーム内部方向に向けて表示する（ドア２０が開いているため、ホーム内部方向に向けて表示された発光サインは確認することができない）。
これにより、駅員等が戸開ボタン１１を押下した時点では、ドア２０に施されている全ての開口部２１から緑色の発光サインが出力されるので、ホーム及び列車にいる利用者は、ドア２０が開いている状態で、緑色の発光サインを確認することができる（ステップＳＴ２５）。
ホーム及び列車にいる利用者は、全ての開口部２１から緑色の発光サインを確認することができるため、ドア２０が閉まるまでに十分な時間があることを認識し、安心感をもって、列車の乗降を行うことができる。
【００７５】
その後、時間が経過すると、発光サインの確認が可能な開口部２１の個数が、列車停止時間に応じて順次減少するので（ステップＳＴ２３）、ホーム及び列車にいる利用者は、ドア２０の閉動作が始まるタイミングを認識することができる。
このため、ホーム及び列車にいる利用者は、必要以上に慌てることなく、安心感をもって、列車の乗降を行うことができる。
ドア２０が開いている状態であるとき、駅員等が戸閉ボタン１２を押下しなければ（ステップＳＴ２６）、列車停止時間を経過した時点（ドア２０の閉動作が始まる直前の時点）で、緑色の発光サインが全て消灯する（ステップＳＴ２７）。
【００７６】
ホーム柵制御盤１３は、列車停止時間を経過すると（あるいは、ドア２０が開いている状態であるとき、駅員等が戸閉ボタン１２を押下した場合）、ドア２０の閉動作を行う旨を示すドア開閉状態信号を発光サイン用制御基板１４に出力する。
発光サイン用制御基板１４は、ホーム柵制御盤１３からドア２０の閉動作を行う旨を示すドア開閉状態信号を受けると、予め記録している複数の発光パターンの中から、ドア２０の閉動作を利用者に通知するための発光パターンを選択し、その発光パターンを発光サイン用デバイス１５に出力する。
ドア２０の閉動作を利用者に通知するための発光パターンとして、例えば、赤色の発光サインを閉動作中点滅させる発光パターンを選択する。
【００７７】
発光サイン用デバイス１５は、発光サイン用制御基板１４から発光パターンを受けると、その発光パターンにしたがって点灯状態が変化する発光サインを生成し、発光部１５ａから、その発光サインを放射状に出射する。
例えば、発光サイン用制御基板１４から赤色の発光サインを閉動作中点滅させる発光パターンを受けると、赤色の光を点滅させる発光サインを生成する。
【００７８】
導光レンズ１６の導光面１６ａは、発光サイン用デバイス１５の発光部１５ａから出射された発光サインをドア２０の戸締り方向に導光し、その発光サインをドア２０の戸締り方向に向けて表示する。
導光レンズ１６の導光面１６ｂは、発光サイン用デバイス１５の発光部１５ａから出射された発光サインをホーム内部方向に導光し、その発光サインをホーム内部方向に向けて表示する。
これにより、ドア２０に施されている全ての開口部２１，２２から発光サインが出力されるので、ホームにいる利用者は、ドア２０の閉動作が行われている間、開口部２１又は開口部２２を介して、赤色の光が点滅する発光サインを確認することができる（ステップＳＴ２８）。
また、列車にいる利用者も、ドア２０の閉動作が行われている間、開口部２１を介して、赤色の光が点滅する発光サインを確認することができる（ステップＳＴ２８）。
ホーム及び列車にいる利用者は、赤点滅の発光サインを確認することで、ドア２０の閉動作中であることを認識することができるので、ドア２０の閉動作に伴う挟み込みについて注意することが可能になる。
【００７９】
ただし、ホーム柵制御盤１３は、ドア２０の閉動作中に、駅員等が戸開ボタン１１を押下すると（ステップＳＴ２９）、閉まりかけているドア２０を開く方向に反転させる。
ホーム柵制御盤１３は、閉まりかけているドア２０を開く方向に反転させる際、ドア２０の開動作を行う旨を示すドア開閉状態信号を発光サイン用制御基板１４に出力する。
発光サイン用制御基板１４は、ホーム柵制御盤１３からドア２０の開動作を行う旨を示すドア開閉状態信号を受けると、予め記録している複数の発光パターンの中から、ドア２０の開動作を利用者に通知するための発光パターンを選択し、その発光パターンを発光サイン用デバイス１５に出力する。
ドア２０の開動作を利用者に通知するための発光パターンとして、例えば、緑色の発光サインを開動作中点滅させる発光パターンを選択する。
【００８０】
発光サイン用デバイス１５は、発光サイン用制御基板１４から発光パターンを受けると、その発光パターンにしたがって点灯状態が変化する発光サインを生成し、発光部１５ａから、その発光サインを放射状に出射する。
導光レンズ１６の導光面１６ａは、発光サイン用デバイス１５の発光部１５ａから出射された発光サインをドア２０の戸締り方向に導光し、その発光サインをドア２０の戸締り方向に向けて表示する。
導光レンズ１６の導光面１６ｂは、発光サイン用デバイス１５の発光部１５ａから出射された発光サインをホーム内部方向に導光し、その発光サインをドア２０のホーム内部方向に向けて表示する。
【００８１】
これにより、ドア２０に施されている全ての開口部２１，２２（図１３の例では、７個の開口部２１，２２）から発光サインが出力されるので、ホームにいる利用者は、ドア２０の開動作が行われている間、開口部２１又は開口部２２を介して、緑色の光が点滅する発光サインを確認することができる（ステップＳＴ２２）。
また、列車にいる利用者も、ドア２０の開動作が行われている間、開口部２１を介して、緑色の光が点滅する発光サインを確認することができる（ステップＳＴ２２）。
ホーム及び列車にいる利用者は、緑点滅の発光サインを確認することで、ドア２０の開動作中であることを認識することができるので、ドア２０の開動作に伴う引き込まれについて注意することが可能になる。
【００８２】
ドア２０の閉動作中に、駅員等が戸開ボタン１１を押下しなければ、ドア２０の閉動作が完了して、ドア２０が閉じている状態になる。
ドア２０が閉じている状態では、発光パターンは全て消灯している（ステップＳＴ３０）。
【００８３】
以上で明らかなように、この実施の形態３によれば、発光サイン用デバイス１５及び導光レンズ１６がホーム柵のドア２０に内蔵されており、導光レンズ１６が発光サインをドア２０の戸締り方向とホーム内部方向に導光して、その発光サインをドア２０の戸締り方向とホーム内部方向に向けて表示するように構成したので、ドア２０が開いている状態では、ホーム及び列車にいる利用者が、ドア２０の閉動作が始まるタイミング等を認識することができ、ドア２０が閉じている状態では、ホームにいる利用者が、ドア２０の開動作が始まるタイミング等を認識することができる効果を奏する。
【００８４】
なお、この実施の形態３では、導光レンズ１６の導光面１６ｂが、発光サイン用デバイス１５の発光部１５ａから出射された発光サインをホーム内部方向（ホーム柵のドアの内側方向）に導光して、その発光サインをホーム内部方向に向けて表示するものについて示したが、導光レンズ１６が、発光サイン用デバイス１５の発光部１５ａから出射された発光サインを列車方向（ホーム柵のドアの外側方向）に導光して、その発光サインを列車方向に向けて表示する導光面を更に有するようにしてもよい。
【００８５】
なお、本願発明の範囲内において、実施の形態を適宜組合せ、変更、省略等することが可能である。
【符号の説明】
【００８６】
１，１１  戸開ボタン、２，１２  戸閉ボタン、３  乗場ボタン、４  挟まれ防止センサ、５  セーフティシュー、６  エレベータ制御盤、７，１４  発光サイン用制御基板（発光パターン出力手段）、８，１５  発光サイン用デバイス（発光サイン生成手段）、８ａ，１５ａ  発光部、９，１６  導光レンズ（発光サイン表示手段）、９ａ，９ｂ，１６ａ，１６ｂ  導光面、９ａ’，９ｂ’，１６ａ’，１６ｂ’  突出部分、１０  かご側のドア、１１，２１  開口部（第１の開口部）、１２，２２  開口部（第２の開口部）、１３  ホーム柵制御盤、２０  ホーム柵のドア。
【図１】
0005660839.tif 000002
【図２】
0005660839.tif 000003
【図３】
0005660839.tif 000004
【図４】
0005660839.tif 000005
【図５】
0005660839.tif 000006
【図６】
0005660839.tif 000007
【図７】
0005660839.tif 000008
【図８】
0005660839.tif 000009
【図９】
0005660839.tif 000010
【図１０】
0005660839.tif 000011
【図１１】
0005660839.tif 000012
【図１２】
0005660839.tif 000013
【図１３】
0005660839.tif 000014
【図１４】
0005660839.tif 000015